(57)【要約】      （修正有）【課題】撮像素子の形状を円形あるいは樽形等とし、ジャイロスコープで水平位置を確定し、自由なアスペクト比でトリミングできるカメラを提供する。【解決手段】全体を包む円形が撮像素子とする。円型撮像素子の直径は、カメラが傾いたときにも正位置の時と同じアスペクトの写真が撮れるように、写真の対角線を最低限の直径とする。これにより、ジャイロスコープを併用することによって、カメラが傾いても、ジャイロスコープが撮影画像を水平位置で切り取ることができ、常に安定した写真が撮れる。撮像素子は常に円形全体で画像を捉えるので、撮影者の意図によって自由に写真のアスペクト比を換えることができる。カメラに装備した切り替えスイッチでアスペクト比を縦横に交換することによって、縦位置写真が簡便に（横位置に構えたまま）撮れる。【選択図】図１
0003180703.tif 000002
【実用新案登録請求の範囲】
【請求項１】
スチル及びムービー撮影に使用するカメラの撮像素子の形状を円型、樽型、及び、この機能を拡張した楕円型とする。
【請求項２】
ＲＡＷ画像を撮像素子の全画像をそのまま記録した円型画像とする。
【考案の詳細な説明】
一、本案は従来のデジタルカメラの撮像素子を各種フォーマットの四角型から円型、樽型に変更するもので、これに更に機能を加えた楕円形も範囲に含まれる。
二、（円型もしくは楕円形）は一眼及びコンパクト・デジタル・スチルカメラ、及びムービー機能を持ったスチルカメラを対象とする。
三、（樽型）は、ムービー専用機を対象とする。
詳細は次の通り
（スチルカメラ）
▲１▼図１「スチルカメラ撮像素子と撮影画像概念図」が説明図である。
全体を包む円形が新撮像素子。その円に内接する横長の四辺形が従来の撮像素子を示す。
▲２▼円型撮像素子の直径は、カメラが傾いたときにも正位置の時と同じアスペクトの写真が撮れるように、写真の対角線を最低限の直径とする。「最低限」とする意味は、構造上、円型撮像素子の製造に困難が伴うことと、横ブレ防止機能やその他機能を併用した場合の大きさに対する配慮である。
▲３▼従来、この四辺形で受けた光をそのまま画像として処理をしていた。
これを、撮像素子を円型にすることによって、撮像素子はこの丸形の全面に受けた光をすべて画像として処理することができる。これにより、
ａ．ジャイロスコープを併用することによって、カメラが傾いても、ジャイロスコープが撮影画像を水平位置で切り取ることができ、常に安定した写真が撮れる。
ｂ．撮像素子は常に円形全体で画像を捉えるので、撮影者の意図によって自由に写真のアスペクト比を換えることができる。（撮影時に撮像素子の全画像をＲＡＷとして保存した場合、その画像を元に現像時に任意のアスペクト比写真を切り取ることができる。）
ｃ．スイッチでアスペクト比を縦横に交換することによって、縦位置写真が簡便に撮れる（赤点線部分）。
▲４▼図２「ムービー専用機の撮像素子と撮影画像概念図」。
ムービーの場合、基本的に縦に撮影することはない。よって、円型の上方と下方をカットすることができ、撮像素子のコストダウンがはかれる。
【技術分野】光学機器・電子機器
【背景技術】
【０００１】ＣＣＤ撮像素子  ジャイロスコープ技術
【考案の概要】
デジタル・スチル・カメラ、及びデジタル・ムービー・カメラの撮像素子を従来フォーマットのアスペクト比から解放して円型（楕円型を含む）ないし樽型にすることにより、カメラの使い勝手を大幅に向上すると共に、画質の向上を図ることを目的とする。
【考案が解決しようとする課題】▲１▼．従来、撮影者が三脚と共に水準器などを使ってようやく撮影できた「傾きのないスチル写真」を水平を意識することなく簡便に撮影する。
▲２▼と同時に、従来、傾いた写真を水平修正する過程で、トリミングなどにより、原画写真そのもののサイズが時には３０％〜７０％も小さくなり、画質を損ねる原因になったことを抜本的に改善する。
▲３▼縦位置のスチル写真を撮る場合、カメラを縦位置にして撮影しなければならないのを、カメラを横位置に構えたままスイッチひとつで迅速に縦位置撮影ができるようにし、縦位置撮影に伴うシャッターブレを防止する。
▲４▼動画撮影時、手持ち撮影で発生する左右のシーソー現象をカメラ側で制御する。
▲５▼全画素を使用した円形写真をＲＡＷ写真とすることによって、自由なアスペクト比写真から円形画像まで、トリミングによる画質の低下のリスクを伴わず撮影できる。
【課題を解決するための手段】▲１▼撮像素子の形状を３：２、４：３ないし１６：９等々の角形から、撮影画像の対角線を最低限の直径とする円型もしくは楕円型（スチルカメラ）ないし樽型（ムービーカメラ）にする。
▲２▼この撮像素子で捉えた、円形の画像ないし映像を、ジャイロスコープで水平位置で切り取り、カメラのメモリに記録する。もしくは切り取ることなく全画像をＲＡＷとして保存して、現像時に自由なアスペクト比にトリミングする。
【考案の効果】▲１▼本機能と高ＩＳＯ撮影によって、スチル撮影では、手持ち撮影でも安定した高品質の写真が撮影できる。
▲２▼縦位置写真、横位置写真撮影をスイッチひとつで電子的に切り替えることができる。
▲３▼自由なアスペクト比の写真ばかりでなく、円形写真も撮れる。
▲４▼ムービーでは手持ち撮影で画面左右が揺れる、いわゆる「シーソー現象」が解消され、画面が安定する。
▲５▼ムービー専用機は撮像素子を上下をカットした樽型にすることによって、コストを抑えることができる。
【図面の簡単な説明】
【図１】▲１▼「スチルカメラ撮像素子と撮影画像概念図」  全体を包む円形が新撮像素子。その円に内接する実線の横長四辺形が従来の撮像素子を示す。▲２▼円型撮像素子の直径は、カメラが傾いたときにも正位置の時と同じアスペクトの写真が撮れるように、写真の対角線を最低限の直径とする。ピンクと青の点線で示した横長四辺形は、カメラが傾いたときに、カメラのマイコンが切り取る撮影画像の範囲を示す。▲３▼中央を斜断する破線は、撮影画像の対角線がそのまま撮像素子の直径に当たることを示す。（実際のカメラでは、撮像素子の製造上の問題、その他付加機能の問題から、この長さを上回る直径が必要となる。）▲４▼赤の点線の縦長四辺形は、縦位置撮影する場合に切り取られる画像範囲を示す。カメラそのものを動かさず、電子的に切り替えができる。▲５▼
【図２】「ムービー専用機の撮像素子と撮影画像概念図」。▲１▼ムービーの場合、基本的に縦に撮影することはないため、円型の上方と下方をカットすることができ、撮像素子のコストダウンがはかれると共に、カメラの形状を小さく抑えられる。
【考案を実施するための形態】
【・・・・】
【実施例】
【・・・・】
【・・・・】
【産業上の利用可能性】  特に速写性を求められる報道分野では、カメラを瞬間的に水平に保つことは事実上不可能に近い。ムービーも同様である。しかし、本方式を採用することによって、報道カメラマンは、撮った写真を意に反してトリミングを強いられることもなく、きわめて高画質の写真を手にすることができる。また、報道映像も、視聴者にとって見やすい、安定した映像を得ることができる。
【図１】
0003180703.tif 000003
【図２】
0003180703.tif 000004
【手続補正書】
【提出日】平成24年10月12日(2012.10.12)
【手続補正１】
【補正対象書類名】実用新案登録請求の範囲
【補正対象項目名】全文
【補正方法】変更
【補正の内容】
【実用新案登録請求の範囲】
【請求項１】
円形、樽型、楕円形のいずれかの形状にしたことを特徴とするカメラ用撮像素子（イメージセンサー）。
【請求項２】
請求項１に記載された撮像素子によって、レンズが捉えた全画像をＲＡＷ画像として記録することを可能としたことを特徴とするカメラ。
【手続補正２】
【補正対象書類名】明細書
【補正対象項目名】全文
【補正方法】変更
【補正の内容】
【考案の詳細な説明】
【技術分野】光学機器・電子機器
【背景技術】
【０００１】  ＣＣＤ撮像素子  ジャイロスコープ技術
【考案の概要】
【０００２】  デジタル・スチル・カメラ、及びデジタル・ムービー・カメラの撮像素子を従来フォーマットのアスペクト比から解放して円型（楕円型を含む）ないし樽型にすることにより、カメラの使い勝手を大幅に改善すると共に、画質の向上を図ることを目的とする。
【考案が解決しようとする課題】
【０００３】▲１▼．従来、撮影者が三脚と共に水準器などを使ってようやく撮影できた「傾きのないスチル写真」を水平を意識することなく簡便に撮影する。
▲２▼と同時に、従来、傾いた写真を水平修正する過程で、トリミングなどにより、原画写真そのもののサイズが時には３０％〜７０％も小さくなり、画質を損ねる原因になったことを抜本的に改善する。
▲３▼縦位置のスチル写真を撮る場合、カメラを縦位置にして撮影しなければならないのを、カメラを横位置に構えたまま、迅速に縦位置撮影ができるようにし、縦位置撮影に伴うシャッターブレを防止する。
▲４▼動画撮影時、手持ち撮影で発生する左右のシーソー現象をカメラ側で制御する。
▲５▼全画素を使用した円形写真をＲＡＷ写真とすることによって、自由なアスペクト比写真から円形画像まで、トリミングによる画質の低下のリスクを伴わず撮影できる。（特に顕微鏡写真などの場合、従来のアスペクト比の中で顕微鏡の円形を切り取らねばならず、画質上の損失を伴ったが、全画像をＲＡＷ画像にすることによって、画像損失がなく、圧倒的に高画質な顕微鏡写真が得られる。）
【課題を解決するための手段】
【０００４】▲１▼撮像素子の形状を３：２、４：３ないし１６：９等々のアスペクト比から解放し、撮影画像の対角線を最低限の直径とする円型もしくは楕円型（スチルカメラ）ないし樽型（ムービーカメラ）にする。
▲２▼この撮像素子で捉えた、円形の画像ないし映像を、ジャイロスコープで水平位置で切り取り、カメラのメモリに記録する。もしくは切り取ることなく全画像をＲＡＷとして保存して、現像時に自由なアスペクト比にトリミングする。
【考案の効果】
【０００５】▲１▼本機能と高ＩＳＯ撮影によって、スチル撮影では、手持ち撮影でも安定した高品質の写真が撮影できる。この結果、現像時の水平方向修正による大幅な画質劣化を回避できる。
▲２▼縦位置写真、横位置写真撮影を電子スイッチひとつで電気的に切り替えることができる。
▲３▼自由なアスペクト比の写真ばかりでなく、円形写真も撮れる。
▲４▼ムービーでは手持ち撮影で画面左右が揺れる、いわゆる「シーソー現象」が解消され、画面が安定する。
▲５▼ムービー専用機は撮像素子を上下をカットした樽型にすることによって、コストを抑えることができる。
【図面の簡単な説明】
【０００６】
【図１】▲１▼「スチルカメラ撮像素子と撮影画像概念図」が説明図である。全体を包む円形が新撮像素子。その円に内接する横長の四辺形が従来の撮像素子を示す。▲２▼円型撮像素子の直径は、カメラが傾いたときにも正位置の時と同じアスペクトの写真が  撮れるように、写真の対角線を最低限の直径とする。「最低限」とする意味は、構造上、円型撮像素子の製造に困難が伴うことと、横ブレ防止機能やその他機能を併用した場合の大きさに対する配慮である。▲３▼従来、この四辺形で受けた光をそのまま画像として処理をしていた。これを、撮像素子を円型にすることによって、撮像素子はこの丸形の全面に受けた光を  すべて画像として処理することができる。これにより、ａ．ジャイロスコープを併用することによって、カメラが傾いても、ジャイロスコープが撮影画像を水平位置で切り取ることができ、常に安定した写真が撮れる。ｂ．撮像素子は常に円形全体で画像を捉えるので、撮影者の意図によって自由に写真のアスペクト比を換えることができる。｛撮影時に撮像素子の全画像をＲＡＷとして保存した場合、その画像を元に現像時に任意のアスペクト比写真を切り取ることができる。）ｃ．カメラに装備した切り替えスイッチでアスペクト比を縦横に交換することによって、縦位置写真が簡便に（横位置に構えたまま）撮れる（赤点線部分）。
【図２】「ムービー専用機の撮像素子と撮影画像概念図」。ムービーの場合、基本的に縦に撮影することはない。よって、円型の上方と下方をカットすることができ、撮像素子のコストダウンがはかれる。
【産業上の利用可能性】１．特に速写性を求められる報道分野では、カメラを瞬間的に水平に保つことは事実上不可能に近い。ムービーも同様である。しかし、本方式を採用することによって、報道カメラマンは、撮った写真を意に反してトリミングを強いられることもなく、きわめて高画質の写真を手にすることができる。また、報道映像も、視聴者にとって見やすい、安定した映像を得ることができる。
２．顕微鏡写真などの場合、従来のアスペクト比の中で顕微鏡の円形を切り取らねばならず、画質上の損失を伴ったが、レンズからの全画像をＲＡＷ画像にすることによって、画像損失がなく、圧倒的に高画質な顕微鏡写真が得られる。